(57)【特許請求の範囲】
【請求項１】
乗車駅を選択可能に表示する乗車駅入力手段と、
降車駅を選択可能に表示する降車駅入力手段と、
選択された乗車駅及び降車駅に基づいてその乗車区間の一般経路を予め設定されたデータから検索する一般経路検索手段と、
検索された一般経路を利用頻度の高い順に選択可能に表示すると共に、その一般経路の再検索指示キーを表示する一般経路設定手段と、
前記再検索指示キーが選択されたときに、前記乗車区間内での乗換駅名及び通過駅を含む途中の駅名を文字にて入力可能に表示し、駅名の先頭一文字が入力されたときには、その一文字から想定される各種の途中駅名を予め設定されたデータから読み込んで、その各種の途中駅名から選択可能に表示する途中駅名入力手段と、
先に選択された乗車駅と降車駅、及び前記途中駅名入力手段により選択された途中の駅名に基づいてその乗車区間の特殊経路を予め設定されたデータから検索する特殊経路検索手段と、
検索された特殊経路を利用頻度の高い順に選択可能に表示する特殊経路設定手段と、
選択された特殊経路に基づいて前記乗車区間の定期券を発行する定期券発行手段と
を備えたことを特徴とする定期券発券装置。
【請求項２】
乗車駅及び降車駅の乗車区間内での自社路線と他社路線、在来線と新幹線の相違が視覚を通して識別できるように表示する路線名識別設定手段を備えていることを特徴とする請求項１記載の定期券発券装置。
【請求項３】
前記乗車駅入力手段及び前記降車駅入力手段並びに前記途中駅名入力手段は、一文字から読み込んだ各種の駅名が所定数以上のとき駅名の先頭から複数文字入力するように促し、複数の文字が入力されたときは、その複数文字から想定される各種の駅名を予め設定されたデータから読み込んで、その各種の駅名から選択可能に表示することを特徴とする請求項１又は２記載の定期券発券装置。
【発明の詳細な説明】
【技術分野】
【０００１】
本発明は、鉄道などの交通機関で使用される定期券に係わり、さらに詳しくは、乗車駅と降車駅に基づいて定期券を発券する定期券発券装置に関するものである。
【背景技術】
【０００２】
従来の定期券発券装置として、乗車駅と降車駅及び経由駅情報を入力する駅名操作部と、乗車駅と降車駅との組み合わせから想定される経由候補情報が格納された経由候補記憶部と、駅名操作部の操作により入力された乗車駅と降車駅及び経由駅情報から経由候補記憶部に格納された経由候補情報を検索する経由候補検索部と、通勤／通学や有効期間などの発行条件を入力するための入力部と、定期券を発行する発券部とを備えたものがある（例えば、特許文献１参照）。
【特許文献１】特開平８−１６１６００号公報（第７頁、図１−２）
【発明の開示】
【発明が解決しようとする課題】
【０００３】
前述した従来の定期券発券装置は、新規の定期券を購入する際、乗車駅と降車駅を特定することは容易であるが、特定した乗車区間内で多くの経由候補が存在した場合には、経路を選択するのに時間を要し、操作が複雑であった。
【課題を解決するための手段】
【０００４】
本発明に係る定期券発券装置は、乗車駅を選択可能に表示する乗車駅入力手段と、降車駅を選択可能に表示する降車駅入力手段と、選択された乗車駅及び降車駅に基づいてその乗車区間の一般経路を予め設定されたデータから検索する一般経路検索手段と、検索された一般経路を利用頻度の高い順に選択可能に表示すると共に、その一般経路の再検索指示キーを表示する一般経路設定手段と、再検索指示キーが選択されたときに、乗車区間内での乗換駅名及び通過駅を含む途中の駅名を文字にて入力可能に表示し、駅名の先頭一文字が入力されたときには、その一文字から想定される各種の途中駅名を予め設定されたデータから読み込んで、その各種の途中駅名から選択可能に表示する途中駅名入力手段と、先に選択された乗車駅と降車駅、及び途中駅名入力手段により選択された途中の駅名に基づいてその乗車区間の特殊経路を予め設定されたデータから検索する特殊経路検索手段と、検索された特殊経路を利用頻度の高い順に選択可能に表示する特殊経路設定手段と、選択された特殊経路に基づいて乗車区間の定期券を発行する定期券発行手段とを備えたものである。
【発明の効果】
【０００５】
本発明においては、乗車駅及び降車駅が入力されたとき、その乗車区間の一般経路を利用頻度の高い順に選択可能に表示し、さらに、検索指示キーが選択されたときに、乗車区間内での途中の駅名を文字にて入力可能に表示し、駅名の先頭一文字が入力されたときには、その一文字から想定される各種の途中駅名を予め設定されたデータから読み込んで、その各種の途中駅名から選択可能に表示するようにしている。これにより、利用者が希望する途中駅名を容易に入力することができ、短時間で希望する経路の定期券を購入できる。
【発明を実施するための最良の形態】
【０００６】
実施の形態
図１は本発明の実施の形態を示す定期券発券装置のブロック構成図、図２は定期券発券装置の正面図である。
本実施の形態の定期券発券装置は、制御部１と、例えば液晶ディスプレイからなるタッチパネル付き表示部２と、定期券の発行や読み取りを行う定期券発行部３と、硬貨の入出金を行う硬貨入出部４と、紙幣の入出金を行う紙幣入出部５と、クレジットカード、ＩＣカード、現金カードなどを取り扱うカード処理部６と、例えばＭＯ（光磁気）ディスクが装着されるＭＯドライバからなる記憶部７と、切符の発行や読み取りを行う発券プリンタ部８とを備えている。
【０００７】
また、この定期券発券装置は、図２に示すように、硬貨を投入するための硬貨投入口４ａと、釣り銭の硬貨を排出するための硬貨排出口４ｂと、一万円札や五千円札などの紙幣を挿入するための紙幣投入口５ａと、釣り銭の札を排出するための紙幣排出口５ｂと、クレジットカードなどを挿入するためのカード挿入口６ａと、本装置の操作がわからなかったりトラブルが起きたときに係員を呼び出すための係員呼出ボタン９と、発券処理された乗車券や特急券、定期券などの各種券類を排出するための発券口１０とを備えている。
【０００８】
前記の記憶部７には、動作説明時に詳述するが、乗車券や定期券などの券類に応じて購入できるように誘導する各種画像、乗車駅及び降車駅の乗車区間に応じて設定された候補の一般経路（路線名含む）、乗車駅、降車駅及び途中の駅名（例えば乗換駅名や通過駅名）に応じて設定された候補の特殊経路（路線名含む）、自社路線、他社路線、在来線及び新幹線の各路線名にそれぞれ設定された文字色、駅名（途中駅名含む）の先頭一文字のカナ及び先頭から例えば二文字までのカナに対応して設定された候補の各種の駅名などがデータとして格納されている。この二文字による検索は、一文字で検索した駅名の数が所定数以上のとき、つまり、表示部２の一画面上に表示しきれない場合に駅名を限定するのに用いるためであり、二文字のカナが入力されたときは、二文字のカナに対応する駅名が検索されるようになっている。
【０００９】
前述した制御部１は、乗車駅入力部１ａ、降車駅入力部１ｂ、一般経路検索部１ｃ、一般経路設定部１ｄ、途中駅名入力部１ｅ、特殊経路検索部１ｆ、特殊経路設定部１ｇ及び路線名識別設定部１ｈを有し、タッチパネル付き表示部２（以下、単に「表示部２」という）に、乗車に必要な券類を選択させる各種のメニュー選択キーの画像を表示している。例えば、定期券が選択されたときは、新規定期券又は継続定期券の何れかを選択させる購入区分画像を表示し、新規定期券が選択されたときは、通勤定期券か新幹線定期券の何れかを選択させる選択キーの画像を表示し、何れか一方が選択されたときは定期券の有効期間と利用開始日を入力させる各種選択キーの画像を表示する。
【００１０】
後で詳述するが、希望する乗車区間での経路が選択されたときは、購入者の個人情報（名前・性別・年齢・電話番号）を入力させる各種操作キーの画像を順に表示部２に表示し、この誘導により購入者の個人情報が入力されたときは、今まで入力された定期券の購入に必要な各種情報を表示部２に表示すると共に、確認を促す確認キーの画像を表示し、この確認キーの選択を検知したときは、代金受領のための代金処理、及び定期券発行のための発券処理を行う。前述した各種の画像は記憶部７から読み込んだものである。代金処理については、硬貨入出部４及び紙幣入出部５を通じて投入金額を認識し、かつ演算処理し、釣り銭があるときは、硬貨入出部４及び紙幣入出部５を制御して釣り銭の返却を行わせるようにする。発券処理については、前述した各種の入力情報をデータとして定期券発行部３に通知し、定期券の表面及び磁気ストライプに記録するように制御する。
【００１１】
制御部１の乗車駅入力部１ａは、定期券の有効期間と利用開始日の入力が終了したときに、５０音のカナキーの画像を記憶部７から読み込んで、表示部２にカナ入力可能に表示し、何れか一つのカナキーが選択されたときは、その一文字のカナに対応して設定された候補の各種駅名を記憶部７から検索し、表示部２にその各種の駅名を表示して乗車駅を選択可能にする。降車駅入力部１ｂは、乗車駅が選択されたとき、前記と同様に５０音のカナキーの画像を記憶部７から読み込んで、表示部２にカナ入力可能に表示し、何れか一つのカナキーが選択されたときは、その一文字のカナに対応して設定された候補の各種駅名を記憶部７から検索し、表示部２にその各種の駅名を表示して降車駅を選択可能にする。また、乗車駅入力部１ａ及び降車駅入力部１ｂは、一文字から検索した候補の各種駅名が所定数以上のときは、二文字を入力するように表示部７を通して促し、二文字のカナキーが選択されたときは、二文字に対応して設定された候補の各種駅名を記憶部７から検索し、表示部２にその各種の駅名を表示して乗車駅や降車駅を選択可能にする。
【００１２】
一般経路検索部１ｃは、選択された乗車駅及び降車駅に基づいてその乗車区間における各種候補の一般経路を記憶部７から読み込み一般経路設定部１ｄに通知する。この一般経路設定部１ｄは、一般経路検索部１ｃから受けた各種候補の一般経路を表示部２に利用頻度の高い順、例えば距離の短い順に選択可能に表示する共に、再検索指示キーを表示し、この再検索指示キーが選択されたときは、途中駅名入力部１ｅにその旨を通知する。なお、ここで、何れか一つの一般経路が選択されたときは、その情報をデータとして定期券発行部３に通知するようになっている。
【００１３】
途中駅名入力部１ｅは、再検索指示キーが選択されたとき、５０音のカナキーの画像を記憶部７から読み込んで、表示部２にカナ入力可能に表示し、何れか一つのカナキーが選択されたときは、その一文字のカナに対応して設定された候補の各種途中駅（乗換駅名や通過駅名）を記憶部７から検索し、表示部２にその途中の駅名を表示して選択可能にし、この中から途中の駅名が選択されたときは、その途中の駅名を特殊経路検索部１ｆに通知する。また、一文字から検索した候補の各種途中駅名が所定数以上のときは、二文字を入力するように表示部７を通して促し、二文字のカナキーが選択されたときは、二文字に対応して設定された候補の各種途中駅名を記憶部７から検索し、表示部２にその各種の途中駅名を表示して選択可能にする。特殊経路検索部１ｆは、先に選択された乗車駅と降車駅及び途中の駅名に基づいてその乗車区間における各種候補の特殊経路を記憶部７から読み込み特殊経路設定部１ｇに通知する。特殊経路検索部１ｆによる検索は、前記に限定するものではなく、例えば、選択された途中駅名に基づいて一般経路検索部１ｃが抽出した一般経路の中から特殊経路を抽出しても構わない。
【００１４】
この特殊経路設定部１ｇは、特殊経路設定部１ｇから受けた各種候補の特殊経路を表示部２に利用頻度の高い順に表示し、何れか一つの特殊経路が選択されたときは、その情報をデータとして定期券発行部３に通知する。定期券発行部３は、特殊経路設定部１ｇからの特殊経路を受けたとき、その乗車区間の定期券を発行し、発券口１０から排出する。路線名識別設定部１ｈは、選択された一般経路又は特殊経路の乗車区間が表示部２に表示された際、各路線名に設定されている文字色を記憶部７から読み込んで各路線名に色付けする。これは、前述したように自社路線と他社路線の区別、また在来線と新幹線の区別が視覚を通してわかるようにしたものである。
【００１５】
次に、前記のように構成された定期券発券装置において、定期券を発行する場合の動作を図３乃至図８に基づいて説明する。図３乃至図８は定期券発券装置における定期券購入時の操作画面図である。
まず、図３（ａ）に示すように、本装置の表示部２に表示されている「新幹線指定席」、「新幹線自由席」、「在来線指定席」、「定期券」など各種のメニュー選択キーの中から定期券キーが選択されると、制御部１は、新規定期券又は継続定期券の何れかを選択させる購入区分画像を表示する（ｂ）。そして、この画像から例えば新規定期券が選択された場合は、通勤定期券か新幹線定期券の何れかを選択させる選択キーの画像を表示する（ｃ）。この画像から通勤定期券が選択されたときは、図４（ｄ）に示すように、定期券の有効期間及び利用開始日を入力させる各種選択キーの画像を表示し、かつ、この画面の右側にこれから入力される各種情報（有効期間・利用開始日・乗車駅・降車駅・経路・購入者の名前・性別・年齢・電話番号）を記録するガイド表示エリアを表示する。有効期間及び利用開始日がキー操作により選択されると、制御部１の乗車駅入力部１ａが、５０音のカナキーの画像を表示部２に表示して、乗車駅名をカナで入力するように促す（ｅ）。ここで、例えば「と」のカナキーが選択されたときは、その一文字のカナに対応して設定された候補の各種駅名（乗車駅）を表示部２に選択可能に表示する（ｆ）。また、前記の乗車駅入力部１ａは、一文字から検索した候補の各種駅名が所定数以上のときは、二文字を入力するように表示部７を通して促し、二文字のカナキーが選択されたときは、二文字に対応して設定された候補の各種駅名（乗車駅）を表示部２に選択可能に表示する（図示せず）。
【００１６】
図４（ｆ）の画面において、例えば乗車駅の「東京」が選択されると、降車駅入力部１ｂが、図５（ｇ）に示すように、５０音のカナキーの画像を表示部２に表示して、降車駅名をカナで入力するように促す。この５０音のカナキーの中から「と」のカナキーが選択されたときは、その一文字のカナに対応して設定された候補の各種駅名（乗車駅）を表示部２に選択可能に表示する（ｈ）。また、前記の降車駅入力部１ｂは、前記と同様に一文字から検索した候補の各種駅名が所定数以上のときは、二文字を入力するように表示部７を通して促し、二文字のカナキーが選択されたときは、二文字に対応して設定された候補の各種駅名（降車駅）を表示部２に選択可能に表示する（図示せず）。図５（ｈ）の画面において、例えば降車駅の「東海」が選択されると、一般経路検索部１ｃが、選択された乗車駅（東京）及び降車駅（東海）に基づいてその乗車区間における各種候補の一般経路を記憶部７から読み込んで一般経路設定部１ｄに通知し、一般経路設定部１ｄは、一般経路検索部１ｃから受けた各種候補の一般経路を表示部２に距離の短い順に選択可能に表示する共に、再検索指示キー（「この中にない」）を表示する（ｉ）。この時、路線名識別設定部１ｈは、表示部２に表示された各一般経路の路線名に対応して設定されている文字色を記憶部７から読み込んで各路線名に色付けする。この画面において、何れかの一般経路が選択されたときは、その情報をデータとして定期券発行部３に通知し、再検索指示キーが選択されたときは、途中駅名入力部１ｅにその旨を通知する。
【００１７】
途中駅名入力部１ｅは、再検索指示キーが選択されると、図６（ｊ）に示すように、前記と同様に５０音のカナキーの画像を表示部２に表示して、途中駅名をカナで入力するように促す。この５０音のカナキーの中から何れか一つのカナキーが選択されたときは、その一文字のカナに対応して設定された候補の各種駅名を表示部２に選択可能に表示する（ｋ）。また、途中駅名入力部１ｅは、一文字から検索した候補の各種途中駅名が所定数以上のときは、二文字を入力するように表示部７を通して促し、二文字のカナキーが選択されたときは、二文字に対応して設定された候補の各種途中駅名を表示部２に選択可能に表示する（図示せず）。図６（ｋ）の画面から例えば「東雲」が選択されたときは、その駅名を特殊経路検索部１ｆに通知する。この時、特殊経路検索部１ｆは、先に選択された乗車駅（東京）と降車駅（東海）及び途中の駅名（東雲）に基づいてその乗車区間における各種候補の特殊経路を記憶部７から読み込み特殊経路設定部１ｇに通知する。
【００１８】
この特殊経路設定部１ｇは、特殊経路設定部１ｇから受けた各種候補の特殊経路を表示部２に距離の短い順に表示する（ｌ）。この時、路線名識別設定部１ｈは、表示部２に表示された各特殊経路の路線名に対応して設定されている文字色を記憶部７から読み込んで各路線名に色付けする。この画面において、何れか一つの特殊経路が選択されたときは、制御部１は、図７（ｍ）に示すように、５０音のカナキーの画像を表示部２に表示して、購入者の名前をカナで入力するように促し、名前の入力後に確定キーが選択されたときは、性別及び年齢を入力させる画像を表示部２に表示し（ｎ）、性別及び年齢の入力後に前記と同様に確定キーが選択されたときは、電話番号を入力させる画像を表示部２に表示し（ｏ）、電話番号の入力後に確定キーが選択されたときは、図８（ｐ）に示すように、今まで入力された定期券の購入に必要な各種情報を表示部２に表示する。ここで、確認キーが選択されると、代金受領のための代金処理を行い、前記の各種情報をデータとして定期券発行部３に通知し、定期券の表面及び磁気ストライプに記録するように制御する。
【００１９】
以上のように本実施の形態によれば、駅名の先頭一文字或いは二文字から希望する乗車駅及び降車駅を選択可能に表示し、選択された乗車駅及び降車駅に基づいてその乗車区間内での各種候補の一般経路を距離の短い順に選択可能に表示し、また、再検索指示キーの選択後に途中駅名の先頭一文字或いは二文字から乗車区間内での各種候補の特殊経路を距離の短い順に選択可能に表示するようにしたので、一般経路の利用者も特殊経路の利用者も共に、操作が容易で、しかも短時間で希望する経路の定期券を購入できる。
【００２０】
なお、前記の実施の形態では、タッチパネル付き表示部２の一例として液晶ディスプレイを述べたが、これに代えてＣＲＴディスプレイやプラズマディスプレイであってもよい。また、記憶部７としてＭＯドライバを挙げたが、これに代えてＲＯＭやＲＡＭなどの半導体メモリ、ＦＤが装着されるＦＤドライバ、ＨＤ（ハードディスク）が装着されるＨＤドライバの何れでもよい。
また、自社路線と他社路線の区別、在来線と新幹線の区別を色分けでわかるようにしたが、これに代えて、例えば、他社路線と新幹線の路線を点滅させて他の路線と区別できるようにしてもよい。
さらに、候補の一般経路又は特殊経路を距離の短い順に表示するようにしたが、これに代えて、例えば、乗換の少ない順或いは乗車時間の短い順に候補の一般経路、特殊経路を表示するようにしてもよい。
【図面の簡単な説明】
【００２１】
【図１】本発明の実施の形態を示す定期券発券装置のブロック構成図である。
【図２】定期券発券装置の正面図である。
【図３】定期券発券装置における定期券購入時の操作画面図である。
【図４】図３に続く操作画面図である。
【図５】図４に続く操作画面図である。
【図６】図５に続く操作画面図である。
【図７】図６に続く操作画面図である。
【図８】図７に続く操作画面図である。
【符号の説明】
【００２２】
１  制御部、１ａ  乗車駅入力部、１ｂ  降車駅入力部、１ｃ  一般経路検索部、１ｄ  一般経路設定部、１ｅ  途中駅名入力部、１ｆ  特殊経路検索部、１ｇ  特殊経路設定部、１ｈ  路線名識別設定部、２  タッチパネル付き表示部、３  定期券発行部、４  硬貨入出部、５  紙幣入出部、６  カード処理部、７  記憶部、８  発券プリンタ部。
【図１】
0005294541.tif 000002
【図２】
0005294541.tif 000003
【図３】
0005294541.tif 000004
【図４】
0005294541.tif 000005
【図５】
0005294541.tif 000006
【図６】
0005294541.tif 000007
【図７】
0005294541.tif 000008
【図８】
0005294541.tif 000009